(57)【要約】  本技術は、セキュリティを確保しつつ利便性を向上させることができるようにする薬歴情報管理装置および方法、並びにプログラムに関する。携帯型端末装置は、ユーザの個人識別IDおよび認証補助情報とともにワンタイムパスワードの発行要求をサーバに送信する。サーバは、発行要求に応じてワンタイムパスワードを生成し、携帯型端末装置に送信するとともに、個人識別IDに対応付けて認証補助情報およびワンタイムパスワードを記録する。端末装置は、ワンタイムパスワードと認証補助情報をサーバに送信し、閲覧データの送信を要求する。サーバは、端末装置から受信したワンタイムパスワードと認証補助情報に基づいて認証を行い、閲覧データを端末装置に送信する。本技術は、情報処理システムに適用することができる。
2015198873.tif 000002
【特許請求の範囲】
【請求項１】
通信網を介して、ユーザの薬歴情報を閲覧可能な第一の端末装置及び第二の端末装置と接続される薬歴情報管理装置において、
情報を送信及び受信する通信部と、
個人識別情報に対応付けて、少なくとも前記薬歴情報と認証情報と認証補助情報とを記録可能な記録部と、
前記通信部と前記記録部を制御する制御部と
を具備し、
前記制御部は、
前記通信部により、第一の個人識別情報と、前記認証補助情報と、前記認証情報の発行要求とを前記第一の端末装置から受信した場合に、
前記認証情報を生成する処理と、
前記認証情報と前記認証補助情報とを前記第一の個人識別情報に対応付けて前記記録部に記録する処理と、
前記第一の端末装置に対して、前記認証情報を前記通信部により送信する処理と
を実行し、
前記通信部により、前記認証情報と、前記認証補助情報と、第二の個人識別情報に対応付けられている前記薬歴情報の閲覧要求とを前記第二の端末装置から受信した場合に、
前記第二の個人識別情報に対応付けられて前記記録部に記録されている前記認証情報及び前記認証補助情報と、前記第二の端末装置から受信した前記認証情報及び前記認証補助情報とに基づき認証を行い、前記第二の端末装置による前記薬歴情報の閲覧の可否を決定する処理を実行する
薬歴情報管理装置。
【請求項２】
前記認証情報は、前記認証情報が発行されてから所定の時間、又は前記認証情報を用いた前記薬歴情報へのアクセスを行ってから所定の時間有効である
請求項１に記載の薬歴情報管理装置。
【請求項３】
前記認証補助情報は、前記第二の端末装置による前記閲覧要求が行われた場所に関する情報として、前記第二の端末装置を操作して閲覧の要求を行った場所に関する情報を含む
請求項１に記載の薬歴情報管理装置。
【請求項４】
前記制御部は、更に前記通信部により、前記第二の個人識別情報と、更新薬歴情報と、前記第二の個人識別情報に対応付けられている前記薬歴情報の更新要求とを前記第二の端末装置から受信した場合に、前記薬歴情報を更新する処理を実行する
請求項１に記載の薬歴情報管理装置。
【請求項５】
通信網を介して、ユーザの薬歴情報を閲覧可能な第一の端末装置及び第二の端末装置と接続される薬歴情報管理装置であって、
情報を送信及び受信する通信部と、
個人識別情報に対応付けて、少なくとも前記薬歴情報と認証情報と認証補助情報とを記録可能な記録部と、
前記通信部と前記記録部を制御する制御部と
を具備する薬歴情報管理装置の薬歴情報管理方法において、
前記制御部が、
前記通信部により、第一の個人識別情報と、前記認証補助情報と、前記認証情報の発行要求とを前記第一の端末装置から受信した場合に、
前記認証情報を生成する処理と、
前記認証情報と前記認証補助情報とを前記第一の個人識別情報に対応付けて前記記録部に記録する処理と、
前記第一の端末装置に対して、前記認証情報を前記通信部により送信する処理と
を実行し、
前記通信部により、前記認証情報と、前記認証補助情報と、第二の個人識別情報に対応付けられている前記薬歴情報の閲覧要求とを前記第二の端末装置から受信した場合に、
前記第二の個人識別情報に対応付けられて前記記録部に記録されている前記認証情報及び前記認証補助情報と、前記第二の端末装置から受信した前記認証情報及び前記認証補助情報とに基づき認証を行い、前記第二の端末装置による前記薬歴情報の閲覧の可否を決定する処理を実行する
ステップを含む薬歴情報管理方法。
【請求項６】
通信網を介して、ユーザの薬歴情報を閲覧可能な第一の端末装置及び第二の端末装置と接続される薬歴情報管理装置であって、
情報を送信及び受信する通信部と、
個人識別情報に対応付けて、少なくとも前記薬歴情報と認証情報と認証補助情報とを記録可能な記録部と
を具備する薬歴情報管理装置を制御するコンピュータに、
前記通信部により、第一の個人識別情報と、前記認証補助情報と、前記認証情報の発行要求とを前記第一の端末装置から受信した場合に、
前記認証情報を生成する処理と、
前記認証情報と前記認証補助情報とを前記第一の個人識別情報に対応付けて前記記録部に記録する処理と、
前記第一の端末装置に対して、前記認証情報を前記通信部により送信する処理と
を実行し、
前記通信部により、前記認証情報と、前記認証補助情報と、第二の個人識別情報に対応付けられている前記薬歴情報の閲覧要求とを前記第二の端末装置から受信した場合に、
前記第二の個人識別情報に対応付けられて前記記録部に記録されている前記認証情報及び前記認証補助情報と、前記第二の端末装置から受信した前記認証情報及び前記認証補助情報とに基づき認証を行い、前記第二の端末装置による前記薬歴情報の閲覧の可否を決定する処理を実行する
ステップを含む処理を実行させるプログラム。
【発明の詳細な説明】
【技術分野】
【０００１】
本技術は薬歴情報管理装置および方法、並びにプログラムに関し、特に、セキュリティを確保しつつ利便性を向上させることができるようにした薬歴情報管理装置および方法、並びにプログラムに関する。
【背景技術】
【０００２】
今後、超高齢社会の到来に伴って、患者の収容数等が従来の医療機関のキャパシティをオーバーするであろうことから、在宅医療が推進される見込みになっている。【０００３】
そこで、例えばサーバで各患者の処方箋や薬剤に関する情報を管理するとともに患者、医療機関の医師、および調剤薬局を予めサーバに登録しておき、医師の個人認証と患者の個人認証が正しくなされたときには、調剤薬局で薬剤師が患者や薬剤の情報を閲覧することができるようにする技術が提案されている（例えば、特許文献１参照）。この技術では、調剤薬局で薬剤が調剤されると、その薬剤が患者宅に配送される。【０００４】
また、ユーザがIC（Integrated Circuit）カードを医療機関や薬局に設置されたリーダにかざす（タッチする）だけで、サーバで管理されているユーザの薬歴等を閲覧することができるという、電子お薬手帳の機能を実現するアプリケーションプログラムも実際に運用されている。
【先行技術文献】
【特許文献】
【０００５】
【特許文献１】特開２０１１−２２１６２３号公報
【発明の概要】
【発明が解決しようとする課題】
【０００６】
しかしながら上述した技術では、薬局で薬剤師等がサーバで管理されているユーザの薬歴等を参照しようとするときに、不都合が生じてしまうケースがあった。【０００７】
例えば、上述した電子お薬手帳の機能を実現するアプリケーションプログラムでは、薬局が在宅医療を受けている高齢者等であるユーザの薬歴を確認しようとする場合、そのユーザが実際に薬局まで来局し、ICカードをリーダにかざさなければならない。【０００８】
また、特許文献１に記載の技術では患者、医療機関（医師）、および調剤薬局について予め登録しておく必要があり、登録されていない調剤薬局や医療機関がある場合には、サービスの提供を受けることができなかった。【０００９】
以上のように上述した技術では、サーバで管理されるデータを閲覧しようとするときに、セキュリティを確保することはできるが不便である場合があった。【００１０】
本技術は、このような状況に鑑みてなされたものであり、セキュリティを確保しつつ利便性を向上させることができるようにするものである。
【課題を解決するための手段】
【００１１】
本技術の一側面の薬歴情報管理装置は、通信網を介して、ユーザの薬歴情報を閲覧可能な第一の端末装置及び第二の端末装置と接続される薬歴情報管理装置において、
情報を送信及び受信する通信部と、
個人識別情報に対応付けて、少なくとも前記薬歴情報と認証情報と認証補助情報とを記録可能な記録部と、
前記通信部と前記記録部を制御する制御部と
を具備し、
前記制御部は、
前記通信部により、第一の個人識別情報と、前記認証補助情報と、前記認証情報の発行要求とを前記第一の端末装置から受信した場合に、
前記認証情報を生成する処理と、
前記認証情報と前記認証補助情報とを前記第一の個人識別情報に対応付けて前記記録部に記録する処理と、
前記第一の端末装置に対して、前記認証情報を前記通信部により送信する処理と
を実行し、
前記通信部により、前記認証情報と、前記認証補助情報と、第二の個人識別情報に対応付けられている前記薬歴情報の閲覧要求とを前記第二の端末装置から受信した場合に、
前記第二の個人識別情報に対応付けられて前記記録部に記録されている前記認証情報及び前記認証補助情報と、前記第二の端末装置から受信した前記認証情報及び前記認証補助情報とに基づき認証を行い、前記第二の端末装置による前記薬歴情報の閲覧の可否を決定する処理を実行する。【００１２】
前記認証情報を、前記認証情報が発行されてから所定の時間、又は前記認証情報を用いた前記薬歴情報へのアクセスを行ってから所定の時間有効とすることができる。【００１３】
前記認証補助情報には、前記第二の端末装置による前記閲覧要求が行われた場所に関する情報として、前記第二の端末装置を操作して閲覧の要求を行った場所に関する情報が含まれるようにすることができる。【００１４】
前記制御部には、更に前記通信部により、前記第二の個人識別情報と、更新薬歴情報と、前記第二の個人識別情報に対応付けられている前記薬歴情報の更新要求とを前記第二の端末装置から受信した場合に、前記薬歴情報を更新する処理を実行させることができる。【００１５】
本技術の一側面の薬歴情報管理方法またはプログラムは、
通信網を介して、ユーザの薬歴情報を閲覧可能な第一の端末装置及び第二の端末装置と接続される薬歴情報管理装置であって、
情報を送信及び受信する通信部と、
個人識別情報に対応付けて、少なくとも前記薬歴情報と認証情報と認証補助情報とを記録可能な記録部と
を具備する薬歴情報管理装置の薬歴情報管理方法またはプログラムであって、
前記通信部により、第一の個人識別情報と、前記認証補助情報と、前記認証情報の発行要求とを前記第一の端末装置から受信した場合に、
前記認証情報を生成する処理と、
前記認証情報と前記認証補助情報とを前記第一の個人識別情報に対応付けて前記記録部に記録する処理と、
前記第一の端末装置に対して、前記認証情報を前記通信部により送信する処理と
を実行し、
前記通信部により、前記認証情報と、前記認証補助情報と、第二の個人識別情報に対応付けられている前記薬歴情報の閲覧要求とを前記第二の端末装置から受信した場合に、
前記第二の個人識別情報に対応付けられて前記記録部に記録されている前記認証情報及び前記認証補助情報と、前記第二の端末装置から受信した前記認証情報及び前記認証補助情報とに基づき認証を行い、前記第二の端末装置による前記薬歴情報の閲覧の可否を決定する処理を実行する
ステップを含む。【００１６】
本技術の一側面においては、
通信網を介して、ユーザの薬歴情報を閲覧可能な第一の端末装置及び第二の端末装置と接続される薬歴情報管理装置であって、
情報を送信及び受信する通信部と、
個人識別情報に対応付けて、少なくとも前記薬歴情報と認証情報と認証補助情報とを記録可能な記録部と、
前記通信部と前記記録部を制御する制御部と
を具備する薬歴情報管理装置において、
前記通信部により、第一の個人識別情報と、前記認証補助情報と、前記認証情報の発行要求とを前記第一の端末装置から受信した場合に、
前記認証情報を生成する処理と、
前記認証情報と前記認証補助情報とを前記第一の個人識別情報に対応付けて前記記録部に記録する処理と、
前記第一の端末装置に対して、前記認証情報を前記通信部により送信する処理と
が実行され、
前記通信部により、前記認証情報と、前記認証補助情報と、第二の個人識別情報に対応付けられている前記薬歴情報の閲覧要求とを前記第二の端末装置から受信した場合に、
前記第二の個人識別情報に対応付けられて前記記録部に記録されている前記認証情報及び前記認証補助情報と、前記第二の端末装置から受信した前記認証情報及び前記認証補助情報とに基づき認証を行い、前記第二の端末装置による前記薬歴情報の閲覧の可否を決定する処理が実行される。
【発明の効果】
【００１７】
本技術の一側面によれば、セキュリティを確保しつつ利便性を向上させることができる。【００１８】
なお、ここに記載された効果は必ずしも限定されるものではなく、本開示中に記載された何れかの効果であってもよい。
【図面の簡単な説明】
【００１９】
【図１】本技術の概要について説明する図である。
【図２】情報処理システムの構成例を示す図である。
【図３】データセンタの構成例を示す図である。
【図４】情報端末装置の構成例を示す図である。
【図５】携帯型端末装置の構成例を示す図である。
【図６】ワンタイムパスワード利用時の処理について説明する図である。
【図７】ワンタイムパスワード発行要求処理およびワンタイムパスワード発行処理を説明するフローチャートである。
【図８】閲覧処理および提供処理を説明するフローチャートである。
【図９】閲覧処理および提供処理を説明するフローチャートである。
【図１０】ワンタイムパスワード利用時の処理について説明する図である。
【図１１】ワンタイムパスワード発行要求処理およびワンタイムパスワード発行処理を説明するフローチャートである。
【図１２】閲覧処理および提供処理を説明するフローチャートである。
【図１３】コンピュータの構成例を示す図である。
【発明を実施するための形態】
【００２０】
以下、図面を参照して、本技術を適用した実施の形態について説明する。
【００２１】
〈第１の実施の形態〉
〈本技術の概要〉
本技術はクラウド上に預託された閲覧対象となる閲覧データを、ユーザが予めユーザに対して発行されたICカード等を利用して閲覧する情報処理システムに関するものである。本技術では、ユーザが指定する所定の事業者等である第三者に対してユーザに関する閲覧データの一時的な閲覧を許可する場合に、第三者がワンタイムパスワードを利用して、ICカード等を用いることなく認証を行い、閲覧データを閲覧することができるようになされている。これにより、セキュリティを確保しつつ利便性を向上させることができる。
【００２２】
具体的には、例えば図１に示すようにユーザが所持している携帯型端末装置１１を利用して、サーバ１２に記録されているユーザについての閲覧データを閲覧できる情報処理システムがあるとする。
【００２３】
ここで、携帯型端末装置１１にはユーザを一意に特定することのできる識別情報として個人識別IDが記録されており、またサーバ１２には個人識別IDにより特定されるユーザの閲覧データが、その個人識別IDに対応付けられて記録されている。この例では、個人識別IDがユーザに対して予め発行されている。
【００２４】
ユーザは、自身の閲覧データを閲覧する際には、携帯型端末装置１１を操作して個人識別IDをサーバ１２に送信させ、その個人識別IDに対応付けられている閲覧データをサーバ１２から取得させて携帯型端末装置１１に表示させ、閲覧する。
【００２５】
このような情報処理システムにおいて、ユーザの了解を得て第三者がユーザの閲覧データを新たに生成し、サーバ１２に記録させようとする場合に、第三者が既にサーバ１２に記録されているユーザの閲覧データを参照したいことがあったとする。換言すれば、サーバ１２に記録されている閲覧データを更新しようとする場合に、更新前の閲覧データを参照したいことがあったとする。
【００２６】
ここで、ユーザの閲覧データを一時的に閲覧しようとする第三者は、例えばユーザの閲覧データを閲覧し、その閲覧データの更新を代行して行う所定の事業者などとされる。
【００２７】
このような場合、第三者の端末装置１３でユーザの閲覧データを閲覧しようとすると、基本的には端末装置１３が携帯型端末装置１１等から個人識別IDを取得しなければならないが、そのようなことが困難なこともある。
【００２８】
そこで、情報処理システムでは、ユーザの要求に応じてサーバ１２により発行されたワンタイムパスワードを利用して、端末装置１３がサーバ１２に記録されている閲覧データを一時的に閲覧することができるようになされている。
【００２９】
具体的には矢印A11に示すように、携帯型端末装置１１はユーザの操作に応じて、個人識別ID、および認証補助情報とともにワンタイムパスワードの発行要求をサーバ１２に送信する。
【００３０】
ここで認証補助情報とは、これから更新しようとする閲覧データに関する情報であり、例えば今回更新される閲覧データの一部の情報、つまり閲覧データの更新部分のデータに含まれる情報などとされる。この認証補助情報は、閲覧データを一時的に閲覧する第三者、つまり端末装置１３を認証するときにワンタイムパスワードとともに用いられる。すなわち、認証補助情報は補助的な認証情報として用いられる。
【００３１】
また、ワンタイムパスワードは、サーバ１２がユーザの要求に応じて、ユーザの閲覧データに対する一時的な閲覧権限を第三者に与えたときに、第三者の認証に用いられる認証情報である。
【００３２】
このようにしてワンタイムパスワードの発行要求がなされると、サーバ１２は発行要求に応じて、発行要求とともに送信されてきた個人識別IDに紐づいたワンタイムパスワードを生成（発行）する。そして、サーバ１２は、個人識別IDに対応付けてワンタイムパスワードおよび認証補助情報を記録するとともに、矢印A12に示すように、生成したワンタイムパスワードを携帯型端末装置１１に送信する。
【００３３】
携帯型端末装置１１は、サーバ１２からワンタイムパスワードを受信すると、そのワンタイムパスワードを表示させる。そしてユーザは、矢印A13に示すように、第三者に対して電話等の手段により口頭で認証補助情報とワンタイムパスワードを知らせる。また、矢印A14に示すように端末装置１３は、何らかの方法により、閲覧データの今回更新される部分の情報を取得する。
【００３４】
例えば、認証補助情報が閲覧データの今回更新される部分の情報に含まれているときには、端末装置１３は取得した更新される部分の情報から認証補助情報を抽出することができるので、ユーザは必ずしも認証補助情報を第三者に伝える必要はない。また、ユーザから第三者へのワンタイムパスワードの通知は、口頭の他、携帯型端末装置１１や端末装置１３を利用した電子メール、FAXの授受など、どのような方法で行われてもよい。
【００３５】
第三者は端末装置１３を操作して、矢印A15に示すようにユーザから通知されたワンタイムパスワードと認証補助情報をサーバ１２に送信し、閲覧データの送信を要求する。すると、サーバ１２は、端末装置１３から受信したワンタイムパスワードおよび認証補助情報と、個人識別IDに対応付けて記録しているワンタイムパスワードおよび認証補助情報とを比較して、第三者（端末装置１３）の認証を行う。
【００３６】
正しく認証が行われると、すなわち第三者（端末装置１３）に一時的な閲覧権限が付与されていると確認（認証）されると、サーバ１２は、矢印A16に示すように、個人識別IDに対応付けられている閲覧データを端末装置１３に送信する。これにより、端末装置１３ではユーザの閲覧データを一時的に閲覧することが可能となる。
【００３７】
なお、ここでは個人識別IDに対応付けられている全閲覧データを第三者が閲覧可能な例について説明するが、所定の日付の閲覧データなど、全閲覧データのうちの一部のデータのみが閲覧可能となるように制限が加えられてもよい。
【００３８】
第三者は、必要に応じて閲覧データを参照しながら、閲覧データの今回更新される部分の情報に基づいて閲覧データの更新される部分、つまり新たな閲覧データを生成する。最後に、端末装置１３は、矢印A17に示すように新たな閲覧データをサーバ１２に送信するとともに、その新たな閲覧データの更新（登録）を要求する。
【００３９】
サーバ１２は、端末装置１３の要求に応じて、端末装置１３から受信した新たな閲覧データを個人識別IDに対応付けて記録することで、閲覧データを更新する。
【００４０】
また、サーバ１２は、端末装置１３から新たな閲覧データを受信して記録した時点でワンタイムパスワードを無効化する。例えば、サーバ１２は個人識別IDに対応付けて記録していたワンタイムパスワードおよび認証補助情報を削除し、ワンタイムパスワードによる閲覧権限を無効とする。
【００４１】
このように情報処理システムでは、ワンタイムパスワードを利用して第三者に閲覧データの閲覧を一時的に許可することで、セキュリティを確保しつつ利便性を向上させることができる。しかも、ワンタイムパスワードとともに、更新しようとする閲覧データに関する情報を認証補助情報として認証に利用することでセキュリティを確保することができるので、サーバ１２によりワンタイムパスワードとして発行される文字列等を短くすることができる。これにより、ユーザや第三者がワンタイムパスワードを忘れにくくすることができるだけでなく、ワンタイムパスワードの伝達ミスを防止することができる。
【００４２】
また、第三者はワンタイムパスワードおよび認証補助情報により認証が行われると、閲覧データの閲覧だけでなく、新たな閲覧データの登録も行うことができるので、さらに利便性を向上させることができる。
【００４３】
なお、第三者（端末装置１３）が新たな閲覧データの登録を行うことができる期間、すなわちワンタイムパスワードの有効期間は、ワンタイムパスワードが発行されてから所定の期間としたり、ワンタイムパスワードを用いた閲覧データへのアクセスがあってから所定の期間としたりすることができる。
【００４４】
また、新たな閲覧データの登録を行うことができる期間は、例えばワンタイムパスワードによる認証が行われた後、サーバ１２との通信が切断されるまでの間（セッションが継続している間）などとすることもできる。さらに、閲覧データが端末装置１３に送信され、閲覧が終了した時点でワンタイムパスワードによる閲覧権限を無効とするようにしてもよい。
【００４５】
このような本技術は、電子お薬手帳サービスでユーザの薬歴データ等を閲覧する場合や、サーバで管理されているユーザの書籍等の購買履歴などを閲覧する場合など、ネットワーク上で管理されている何らかのデータを閲覧する場合に適用可能である。以下では、電子お薬手帳サービスでユーザの薬歴データを閲覧する場合を例として、本技術についてさらに詳細に説明する。
【００４６】
〈情報処理システムの構成例〉
そのような場合、本技術を適用した情報処理システムは例えば図２に示すように構成される。
【００４７】
図２に示す情報処理システム４１は、データセンタ５１、情報端末装置５２、並びにユーザの所持するICカード５３および携帯型端末装置５４から構成される。また、データセンタ５１と情報端末装置５２とは、インターネットなど、有線や無線のネットワークからなる通信網５５を介して、相互に接続されている。
【００４８】
この情報処理システム４１では、携帯型端末装置５４や情報端末装置５２が電子化されたお薬手帳などの薬歴データをデータセンタ５１にアップロードし、その薬歴データを適宜閲覧することが可能である。
【００４９】
したがって、この例ではデータセンタ５１、情報端末装置５２、および携帯型端末装置５４が、図１を参照して説明したサーバ１２、端末装置１３、および携帯型端末装置１１に対応する。また、情報処理システム４１において閲覧対象となる薬歴データが図１で説明した閲覧データに対応する。
【００５０】
データセンタ５１は、ユーザの薬歴データを管理する。すなわち、データセンタ５１は、ユーザに固有のIDである個人識別IDと、その個人識別IDにより特定されるユーザの薬歴データとを対応付けて記録している。
【００５１】
ここで、個人識別IDは、一意にユーザを特定することのできる個人識別情報の一つであるが、他人が個人識別IDを入手しただけでは、一般的にはその個人識別IDにより識別されるユーザ個人を特定することができない（困難である）情報とされる。
【００５２】
また、以下ではユーザを特定するための識別情報として個人識別IDを用いる場合について説明するが、ユーザを特定することができれば個人識別IDに限らず、どのような情報が用いられてもよい。
【００５３】
データセンタ５１は、情報端末装置５２や携帯型端末装置５４から供給された薬歴データを管理するとともに、情報端末装置５２や携帯型端末装置５４からの要求に応じて、記録している薬歴データを開示する。また、データセンタ５１は、携帯型端末装置５４からの要求に応じてワンタイムパスワードを発行し、ワンタイムパスワードを利用した認証も行う。
【００５４】
情報端末装置５２は、例えば所定のサービスを提供する、予め登録されたサービス加盟店に設けられている。例えば情報端末装置５２は、ユーザが処方された薬剤を購入する薬局内等に設けられている。したがって、この例では、情報端末装置５２が設置された薬局（薬剤師等）が、図１を参照して説明した事業者等の第三者に対応する。
【００５５】
なお、情報端末装置５２は、必ずしもサービス加盟店に設けられている必要はない。換言すれば、情報端末装置５２は予めデータセンタ５１に登録されている必要はなく、任意の端末装置とすることができる。
【００５６】
情報端末装置５２は、コンピュータなどからなり、薬剤師等の入力操作に応じて各種の処理を行う。具体的には、例えば情報端末装置５２は、薬剤師等の入力操作に応じてユーザの薬歴データを生成し、その薬歴データを記録したり、通信網５５を介して薬歴データをデータセンタ５１に送信して記録させたりする。
【００５７】
また、情報端末装置５２は、適宜、ユーザから伝えられたワンタイムパスワードと認証補助情報を用いて、データセンタ５１に記録されている薬歴データを取得する。
【００５８】
ICカード５３は、情報端末装置５２が設置されているサービス加盟店で提供されるサービスを受けるユーザが、そのサービスを受けるときに適宜使用するICカードであり、ICカード５３は、ユーザごとに発行される。ICカード５３には、サービス利用者であるユーザを認証するための個人識別IDと、ユーザの氏名、生年月日、性別などからなる個人情報とが記録されている。
【００５９】
携帯型端末装置５４は、ユーザが所持する多機能型携帯電話機などからなり、図示せぬ通信網や通信網５５を介してデータセンタ５１や情報端末装置５２と通信し、必要に応じて情報の授受を行なう。例えば、携帯型端末装置５４はデータセンタ５１にワンタイムパスワードの発行を要求したり、データセンタ５１から薬歴データを受信して表示したりする。
【００６０】
なお、図２の例では、情報処理システム４１には、１つの情報端末装置５２しか図示されていないが、情報処理システム４１に複数の情報端末装置５２が含まれているようにしてもよい。
【００６１】
〈データセンタの構成例〉
次に、図２に示したデータセンタ５１、情報端末装置５２、および携帯型端末装置５４の構成について説明する。
【００６２】
図３は、データセンタ５１の構成例を示す図である。なお、図３では、データセンタ５１は１つの装置として構成されているが、データセンタ５１は複数の装置から構成されるようにしてもよい。
【００６３】
図３に示すデータセンタ５１は記録部８１、通信部８２、および制御部８３を有している。
【００６４】
記録部８１は例えばデータベースであり、各種のデータを記録する。例えば記録部８１は、各ユーザの個人識別IDと薬歴データとを対応付けて記録しており、必要に応じて記録しているデータを制御部８３に供給する。
【００６５】
通信部８２は、通信網５５などを介して情報端末装置５２や携帯型端末装置５４と通信し、受信した情報を制御部８３に供給したり、制御部８３から供給された情報を送信したりする。
【００６６】
制御部８３は、データセンタ５１全体の動作を制御する。制御部８３は、情報管理部９１、生成部９２、および認証部９３を備えている。
【００６７】
情報管理部９１は、記録部８１に記録されているデータを管理する。生成部９２は、携帯型端末装置５４の要求に応じてワンタイムパスワードを生成する。また、認証部９３は、ワンタイムパスワードを利用した情報端末装置５２の認証を行う。
【００６８】
〈情報端末装置の構成例〉
次に、情報端末装置５２の構成について説明する。
【００６９】
図４は、情報端末装置５２の構成例を示す図である。なお、図４では、情報端末装置５２は１つの装置として構成されているが、情報端末装置５２は複数の装置から構成されるようにしてもよい。
【００７０】
情報端末装置５２は、通信部１２１、入力部１２２、表示部１２３、制御部１２４、および記録部１２５を有している。
【００７１】
通信部１２１は、通信網５５を介してデータセンタ５１等の各装置と通信し、送信されてきた情報を受信して制御部１２４に供給したり、制御部１２４から供給された情報を送信したりする。入力部１２２は、マウスやタッチパネルなどからなり、薬剤師等の操作に応じた信号を制御部１２４に供給する。表示部１２３は、液晶表示パネルなどからなり、制御部１２４から供給されたデータに基づいて画像等を表示する。
【００７２】
制御部１２４は、情報端末装置５２全体の動作を制御する。制御部１２４は、閲覧制御部１３１および表示制御部１３２を備えている。
【００７３】
閲覧制御部１３１はデータセンタ５１に記録されている薬歴データの閲覧に関する処理を行う。表示制御部１３２は表示部１２３による各種の画像や情報の表示を制御する。
【００７４】
記録部１２５は各種のデータを記録し、必要に応じてそれらのデータを制御部１２４に供給する。
【００７５】
〈携帯型端末装置の構成例〉
さらに、図５は携帯型端末装置５４の構成例を示す図である。
【００７６】
携帯型端末装置５４は通信部１６１、入力部１６２、制御部１６３、記録部１６４、および表示部１６５を有している。
【００７７】
通信部１６１は、データセンタ５１などの外部の装置と通信し、各種のデータを受信して制御部１６３に供給したり、制御部１６３から供給されたデータを送信したりする。
【００７８】
入力部１６２は、例えば入力ボタンやタッチパネル、マイクロホンなどからなり、ユーザによる入力操作に応じた信号を制御部１６３に供給する。
【００７９】
制御部１６３は、携帯型端末装置５４全体の動作を制御する。制御部１６３は、発行要求部１７１および表示制御部１７２を備えている。
【００８０】
発行要求部１７１はワンタイムパスワードの発行要求を生成する。表示制御部１７２は、表示部１６５による画像や情報の表示を制御する。
【００８１】
記録部１６４は、制御部１６３から供給された各種のデータを記録しており、必要に応じてそれらのデータを制御部１６３に供給する。例えば記録部１６４には、ユーザの個人識別IDが記録されている。表示部１６５は、液晶表示パネルなどからなり、制御部１６３から供給されたデータに基づいて各種の画像や情報を表示する。
【００８２】
〈薬歴データの閲覧について〉
次に図１を参照して説明した本技術に関する処理を情報処理システム４１に適用した場合における処理の流れについて図６を参照して説明する。
【００８３】
情報処理システム４１を利用した薬歴データの閲覧および管理のサービスを提供する場合に、ワンタイムパスワードの発行が必要となるケースとして、以下のようなケースが考えられる。
【００８４】
例えば患者であるユーザは、既に電子お薬手帳サービスを受けるためのICカード５３の発行を受けており、サービスを受けるための端末装置として携帯型端末装置５４についても既に登録されている。このような状況では、電子化されたお薬手帳の情報である薬歴データが、ユーザの個人識別IDに対応付けられてデータセンタ５１に記録されている。
【００８５】
また、患者であるユーザは、現在、外出が困難であり、在宅で医師の診察を受け、医師はユーザの同意を得て診察の際に作成した処方箋を、在宅医療対応の薬局に設けられた情報端末装置５２に送達した。例えば、処方箋は電子化されたものであり、処方箋のデータである処方箋データが医師の所有する情報端末装置から、通信網５５等を介して情報端末装置５２に送信される。
【００８６】
情報端末装置５２が処方箋データを受信すると、薬剤師は処方箋データを表示させ、処方された薬剤を確認するとともに処方箋の内容を含む薬歴データを作成する。このとき薬剤師は、患者の服薬履歴などから薬剤の併用禁忌などを確認するため、データセンタ５１に記録されている薬歴データを閲覧したい。
【００８７】
このような場合、患者であるユーザが、情報端末装置５２が設けられている薬局にいれば、情報端末装置５２はICカード５３や携帯型端末装置５４からユーザの個人識別IDを取得し、データセンタ５１に記録されている薬歴データを閲覧することができる。しかし、このケースでは、ユーザは外出が困難であるため、薬剤師はユーザに来局させることなく、一時的にユーザの薬歴データを閲覧したい。
【００８８】
このような場合、ユーザは携帯型端末装置５４を操作してワンタイムパスワードの発行を要求するための操作を行い、その際に、これから更新されるユーザの薬歴データの一部、具体的には、例えば処方箋に含まれている薬剤名などを認証補助情報として入力する。
【００８９】
なお、認証補助情報として入力（指定）される情報は、処方箋に含まれる情報、つまり処方箋データの一部の情報であれば、どのようなものであってもよいが、以下では処方された１または複数の薬剤の名称が入力されるものとして説明を続ける。また、以下ではユーザにより認証補助情報として指定される処方箋データの一部の情報を処方箋部分情報とも称することとする。
【００９０】
したがって、この例では、これから更新される薬歴データの更新部分のデータは、処方箋データが含まれるデータとされ、その処方箋データの一部の情報が認証補助情報としての処方箋部分情報とされる。
【００９１】
ユーザにより処方箋部分情報が入力されると、携帯型端末装置５４は図６の矢印A21に示すように、個人識別IDおよび処方箋部分情報とともにワンタイムパスワードの発行要求をデータセンタ５１に送信する。
【００９２】
また、データセンタ５１は発行要求に応じてワンタイムパスワードを生成し、個人識別IDに対応付けてワンタイムパスワードおよび処方箋部分情報を記録するとともに、矢印A22に示すようにワンタイムパスワードを携帯型端末装置５４に送信する。
【００９３】
同時に患者であるユーザ宅では、矢印A23に示すように診察を行った医師により、医師の情報端末装置から情報端末装置５２への処方箋データの送信が行われ、情報端末装置５２は、医師の情報端末装置から送信されてきた処方箋データを受信する。
【００９４】
さらに、携帯型端末装置５４がデータセンタ５１からワンタイムパスワードを受信して表示すると、ユーザは矢印A24に示すように、薬剤師に対して口頭でワンタイムパスワードと処方箋部分情報を知らせる。
【００９５】
すると、薬剤師は情報端末装置５２を操作し、情報端末装置５２は矢印A25に示すようにユーザから通知されたワンタイムパスワードと処方箋部分情報をデータセンタ５１に送信し、薬歴データの送信を要求する。
【００９６】
これに応じて、データセンタ５１は、情報端末装置５２から受信したワンタイムパスワードおよび処方箋部分情報と、個人識別IDに対応付けて記録しているワンタイムパスワードおよび処方箋部分情報とを比較して認証を行う。
【００９７】
正しく認証が行われると、データセンタ５１は矢印A26に示すように、個人識別IDに対応付けられている薬歴データを情報端末装置５２に送信する。これにより、情報端末装置５２ではユーザの薬歴データを一時的に閲覧することが可能となる。
【００９８】
薬剤師は、薬歴データを参照してユーザに対して処方された薬剤に併用禁忌がないか等を確認し、必要に応じてユーザに服薬指導などを行う。また、薬剤師は、処方箋データに基づいて薬歴データの更新される部分、つまり新たな薬歴データを作成する。最後に、情報端末装置５２は、矢印A27に示すように新たな薬歴データをデータセンタ５１に送信するとともに、その新たな薬歴データの更新（登録）を要求する。
【００９９】
データセンタ５１は、情報端末装置５２の要求に応じて、情報端末装置５２から受信した新たな薬歴データを個人識別IDに対応付けて記録することで、薬歴データを更新する。
【０１００】
〈ワンタイムパスワード発行要求処理およびワンタイムパスワード発行処理の説明〉
続いて、図６を参照して説明した処理について、より詳細に説明する。
【０１０１】
まず、図７のフローチャートを参照して、携帯型端末装置５４によるワンタイムパスワード発行要求処理、およびデータセンタ５１によるワンタイムパスワード発行処理について説明する。
【０１０２】
ステップＳ１１において、携帯型端末装置５４の通信部１６１は、発行要求とともに個人識別IDおよび処方箋部分情報をデータセンタ５１に送信する。
【０１０３】
すなわち、携帯型端末装置５４の発行要求部１７１は、ユーザの操作に応じて入力部１６２から供給された信号に基づいて処方箋部分情報を生成するとともに、ワンタイムパスワードの発行要求も生成する。さらに、発行要求部１７１は、記録部１６４からユーザの個人識別IDを読み出す。
【０１０４】
そして、発行要求部１７１は、ワンタイムパスワードの発行要求、個人識別ID、および処方箋部分情報を通信部１６１に供給し、データセンタ５１への送信を指示（制御）する。通信部１６１は、発行要求部１７１から供給された発行要求、個人識別ID、および処方箋部分情報を、通信網５５を介してデータセンタ５１に送信する。
【０１０５】
すると、ステップＳ２１において、データセンタ５１の通信部８２は、携帯型端末装置５４から送信されてきた発行要求、個人識別ID、および処方箋部分情報を受信して制御部８３に供給する。
【０１０６】
ステップＳ２２において、制御部８３の生成部９２は、通信部８２から供給された発行要求に応じてワンタイムパスワードを生成する。例えば生成部９２は、無作為に選択した所定数の文字や数字からなる情報をワンタイムパスワードとして生成する。
【０１０７】
なお、より詳細には、生成部９２はユーザの認証を行い、ユーザが認証されてからワンタイムパスワードの生成を行う。
【０１０８】
ステップＳ２３において、記録部８１は個人識別IDに対応付けて、ワンタイムパスワードおよび処方箋部分情報を記録する。
【０１０９】
すなわち、情報管理部９１は、通信部８２から供給された個人識別IDおよび処方箋部分情報と、生成部９２により生成されたワンタイムパスワードとを記録部８１に供給し、それらの情報の記録を制御する。すると、記録部８１は情報管理部９１の制御に従って、個人識別IDと、ワンタイムパスワードおよび処方箋部分情報とを対応付けて記録する。
【０１１０】
また、情報管理部９１は、生成されたワンタイムパスワードを通信部８２に供給し、携帯型端末装置５４への送信を指示する。
【０１１１】
ステップＳ２４において、通信部８２は、情報管理部９１から供給されたワンタイムパスワードを、通信網５５を介して携帯型端末装置５４に送信し、ワンタイムパスワード発行処理は終了する。これにより、データセンタ５１からユーザに対して、ユーザの薬歴データの閲覧を第三者（薬剤師）に対して一時的に許可するためのワンタイムパスワードが発行されたことになる。
【０１１２】
また、ステップＳ１２において、携帯型端末装置５４の通信部１６１は、データセンタ５１から送信されてきたワンタイムパスワードを受信して制御部１６３に供給する。制御部１６３の発行要求部１７１は、必要に応じてワンタイムパスワードを記録部１６４に供給し、記録させる。
【０１１３】
ステップＳ１３において、表示制御部１７２は、通信部１６１から供給されたワンタイムパスワードを表示部１６５に供給して表示させる。表示部１６５は、表示制御部１７２の制御に応じてワンタイムパスワードを表示し、ワンタイムパスワード発行要求処理は終了する。
【０１１４】
このようにして携帯型端末装置５４にワンタイムパスワードが表示されると、ユーザは電話等を利用して、口頭でワンタイムパスワードを薬剤師に通知する。その際、ユーザは、自分で入力した処方箋部分情報としての薬剤名も薬剤師に通知する。
【０１１５】
以上のようにして携帯型端末装置５４は、ユーザの操作に応じて発行要求とともに個人識別IDと処方箋部分情報をデータセンタ５１に送信する。また、データセンタ５１は、発行要求に応じてワンタイムパスワードを発行するとともに、ワンタイムパスワードおよび処方箋部分情報を個人識別IDに対応付けて記録する。
【０１１６】
このように、ワンタイムパスワードとともに処方箋部分情報を記録しておくことで、ワンタイムパスワードだけでなく処方箋部分情報も認証に利用することができる。特に処方箋部分情報は他人には想像しづらく、かつユーザや薬剤師には記憶しやすい情報である。
【０１１７】
したがって、ワンタイムパスワードと処方箋部分情報を用いて認証することで、セキュリティを確保しつつワンタイムパスワードを短くすることができ、ユーザや薬剤師の負担を軽減させることができる。これにより、セキュリティを確保しつつ利便性を向上させることができる。
【０１１８】
〈閲覧処理および提供処理の説明〉
以上のようにして薬剤師にワンタイムパスワードと処方箋部分情報が伝えられると、薬剤師は情報端末装置５２を操作して、ユーザの薬歴データを閲覧する。薬剤師により薬歴データの閲覧のための操作が行われると、情報端末装置５２は閲覧処理を行って薬歴データを表示し、データセンタ５１は情報端末装置５２の要求に応じて薬歴データを提供する提供処理を行う。
【０１１９】
以下、図８のフローチャートを参照して、情報端末装置５２による閲覧処理、およびデータセンタ５１による提供処理について説明する。
【０１２０】
ステップＳ５１において、情報端末装置５２の通信部１２１は、医師の情報端末装置から送信されてきた処方箋データを受信して制御部１２４に供給する。なお、処方箋データは、どのようなタイミングで取得されるようにしてもよい。
【０１２１】
また、薬剤師は、入力部１２２に対して薬歴データの閲覧のための操作を行うとともに、入力部１２２を操作してワンタイムパスワードおよび処方箋部分情報を入力する。すると、閲覧制御部１３１は、薬剤師の操作に応じて入力部１２２から供給された信号に基づいて、薬歴データの閲覧を要求する閲覧要求を生成するとともに、閲覧要求、ワンタイムパスワード、および処方箋部分情報を通信部１２１に供給し、それらの送信を制御する。
【０１２２】
なお、ここでは薬剤師が口頭でユーザから処方箋部分情報を伝え聞き、入力部１２２を操作して処方箋部分情報を入力する例について説明するが、処方箋部分情報はどのようにして取得されるようにしてもよい。
【０１２３】
ステップＳ５２において、通信部１２１は、閲覧制御部１３１から供給された閲覧要求とともに、閲覧制御部１３１から供給されたワンタイムパスワードおよび処方箋部分情報を、通信網５５を介してデータセンタ５１に送信する。
【０１２４】
すると、ステップＳ６１において、データセンタ５１の通信部８２は、情報端末装置５２から送信されてきた閲覧要求、ワンタイムパスワード、および処方箋部分情報を受信して制御部８３に供給する。
【０１２５】
ステップＳ６２において、制御部８３の認証部９３は、通信部８２から供給された閲覧要求に応じて、通信部８２から供給されたワンタイムパスワードおよび処方箋部分情報に基づく認証を行う。すなわち、ワンタイムパスワードおよび処方箋部分情報の比較が行われ、その比較結果に応じて情報端末装置５２（薬剤師）が認証される。
【０１２６】
例えば認証部９３は、通信部８２から供給されたワンタイムパスワードおよび処方箋部分情報が、記録部８１に個人識別IDに対応付けられて記録されているワンタイムパスワードおよび処方箋部分情報と一致するか否かを判定する。そして、認証部９３は、一致すると判定された場合、閲覧要求を送信してきた第三者（薬剤師）は、ワンタイムパスワードおよび処方箋部分情報に対応付けられている個人識別IDにより特定されるユーザの薬歴データを一時的に閲覧する権限を有しているとする。つまり、薬剤師が一時的な閲覧権限を有する第三者であるとして認証される。
【０１２７】
この例では、情報端末装置５２が設けられている薬局や、処方箋データを生成する医師の医療機関を予めデータセンタ５１に登録しておく必要がないので、利便性を向上させることができる。
【０１２８】
なお、第三者の認証は、ワンタイムパスワードおよび処方箋部分情報が一致するかに限らず、ワンタイムパスワードおよび処方箋部分情報から算出される情報が一致するかなど、どのようにして行われてもよい。
【０１２９】
以下では、正しく認証が行われたものとして説明を続ける。なお、正しく認証が行われなかった場合、つまり閲覧要求を送信してきた薬剤師に一時的な閲覧権限がないと判定された場合には、データセンタ５１から情報端末装置５２には、閲覧権限がない旨の情報が送信されて提供処理は終了する。
【０１３０】
ステップＳ６２で正しく認証が行われると、ステップＳ６３において情報管理部９１は、閲覧が要求された薬歴データ、つまり個人識別IDに対応付けられている薬歴データを記録部８１から読み出して、個人識別IDおよび薬歴データを通信部８２に供給する。そして、情報管理部９１は、通信部８２に対して個人識別IDおよび薬歴データの送信を指示する。
【０１３１】
ステップＳ６４において、通信部８２は、情報管理部９１から供給された個人識別IDおよび薬歴データを、通信網５５を介して情報端末装置５２に送信する。
【０１３２】
すると、ステップＳ５３において情報端末装置５２の通信部１２１は、データセンタ５１から送信されてきた個人識別IDおよび薬歴データを受信して制御部１２４に供給する。
【０１３３】
ステップＳ５４において、制御部１２４の表示制御部１３２は、通信部１２１から供給された薬歴データを表示部１２３に供給して表示させる。表示部１２３は、表示制御部１３２の制御に従って薬歴データを表示する。
【０１３４】
このようにして薬歴データが表示されると、薬剤師は薬歴データを参照する。また、薬剤師は、入力部１２２を操作して、ステップＳ５１の処理で取得された処方箋データを適宜、加工する等して薬歴データを作成する。すなわち、制御部１２４は、薬剤師の入力部１２２に対する操作に応じて、処方箋データに基づいて薬歴データを生成する。このとき生成される薬歴データは、例えばデータセンタ５１に記録されている薬歴データを更新するときに追加される新たな部分、つまり更新部分のデータとされる。
【０１３５】
また、新たな薬歴データには、処方箋データに含まれている情報のほか、例えば情報端末装置５２が設けられている薬局に関する情報も含まれている。具体的には、新たな薬歴データには、例えば処方箋データに含まれている情報として、ユーザに処方された薬剤の名称や、その薬剤の処方量、診察を行った医療機関を示す情報などが含まれている。また、新たな薬歴データには、例えば薬局に関する情報として、薬局名を示す情報などが含まれている。
【０１３６】
薬歴データが生成されると、制御部１２４は、生成した新たな薬歴データ、ステップＳ５３の処理で受信された個人識別ID、および薬歴データの更新要求を通信部１２１に供給し、データセンタ５１への送信を指示する。
【０１３７】
ステップＳ５５において、通信部１２１は、制御部１２４から供給された個人識別ID、新たな薬歴データ、および薬歴データの更新要求を、通信網５５を介してデータセンタ５１に送信し、閲覧処理は終了する。
【０１３８】
また、ステップＳ６５において、データセンタ５１の通信部８２は、情報端末装置５２から送信されてきた個人識別ID、新たな薬歴データ、および薬歴データの更新要求を受信して制御部８３に供給する。
【０１３９】
ステップＳ６６において、情報管理部９１は、薬歴データの更新要求に応じて、通信部８２から供給された新たな薬歴データを記録部８１に供給して記録させる。
【０１４０】
すなわち、情報管理部９１は、通信部８２から供給された個人識別IDと同じ個人識別IDに対応付けられて記録部８１に記録されている薬歴データに、新たに受信した薬歴データが追加されて薬歴データが更新されるように、記録部８１による新たな薬歴データの記録を制御する。記録部８１は、情報管理部９１から供給された薬歴データに基づいて、薬歴データを更新する。薬歴データが更新されると提供処理は終了する。
【０１４１】
以上のようにして、データセンタ５１はワンタイムパスワードおよび処方箋部分情報に基づいて認証を行い、薬歴データの一時的な閲覧を許可するとともに、新たな薬歴データを受信して薬歴データの更新を行う。
【０１４２】
このようにワンタイムパスワードおよび処方箋部分情報に基づいて認証を行うようにすることで、セキュリティを確保しつつ利便性を向上させることができる。また、認証が行われたときに、閲覧を許可するとともに薬歴データの更新も許可することで、情報端末装置５２（薬剤師）は別途、認証を行うことなく薬歴データを更新することができ、さらに利便性を向上させることができる。なお、ここでは、薬歴データの閲覧後、薬歴データが更新される場合について説明したが、薬歴データが閲覧された時点、つまり薬歴データが表示された時点で、閲覧処理が終了するようにしてもよい。そのような場合には、閲覧処理におけるステップＳ５５と、提供処理におけるステップＳ６５およびステップＳ６６の処理とは行われないことになる。薬歴閲覧後、薬歴更新のみ行う場合は、ステップＳ５５にて、個人識別ID、新たな薬歴データ、および更新要求とともにワンタイムパスワードを送信し、データセンタ５１にてワンタイムパスワードが有効期間内かが確認され、有効期間内であれば、処理はステップＳ６５およびステップＳ６６へと進む。
【０１４３】
〈第２の実施の形態〉
〈閲覧処理および提供処理の説明〉
なお、以上においては、ユーザから薬剤師に対して、ワンタイムパスワードとともに処方箋部分情報についても口頭等により伝えられると説明した。しかし、処方箋部分情報は処方箋データに含まれている情報であり、また情報端末装置５２は医師の情報端末装置から処方箋データを取得するので、必ずしも処方箋部分情報を薬剤師に伝える必要はない。
【０１４４】
そのような場合、情報処理装置５２は、処方箋データから処方箋部分情報を抽出すればよい。このように処方箋部分情報が処方箋データから抽出される場合、閲覧処理および提供処理として、例えば図９に示す処理が行われる。
【０１４５】
以下、図９のフローチャートを参照して、情報端末装置５２による閲覧処理、およびデータセンタ５１による提供処理について説明する。なお、ステップＳ９１の処理は、図８のステップＳ５１の処理と同様であるので、その説明は省略する。
【０１４６】
ステップＳ９２において、情報端末装置５２の閲覧制御部１３１は、通信部１２１から供給された処方箋データから処方箋部分情報を抽出する。
【０１４７】
例えば閲覧制御部１３１は、処方箋データの予め定められた部分を抽出して処方箋部分情報とする。ここで、予め定められた部分とは、例えばユーザ（患者）に対して処方された薬剤に関する情報が格納される部分などとされる。なお、処方箋部分情報が処方箋にQR（Quick Response）コード（登録商標）などで記述されていたり、処方箋データに暗号化されて記述されていたりするようにしてもよい。この場合、閲覧制御部１３１は、処方箋に含まれているQRコード(登録商標)を読み込んだり、処方箋データに記述されているデータを復号したりして処方箋部分情報を取得する。
【０１４８】
処方箋部分情報が得られると、閲覧制御部１３１は閲覧要求、ワンタイムパスワード、および処方箋部分情報を通信部１２１に供給し、それらの送信を制御する。
【０１４９】
ステップＳ９３において、通信部１２１は、閲覧制御部１３１から供給された閲覧要求とともに、閲覧制御部１３１から供給されたワンタイムパスワードおよび処方箋部分情報を、通信網５５を介してデータセンタ５１に送信する。
【０１５０】
閲覧要求が送信されると、データセンタ５１では、ステップＳ１０１乃至ステップＳ１０４の処理が行われて、認証の処理と、個人識別IDおよび薬歴データの送信処理とが行われるが、これらの処理は図８のステップＳ６１乃至ステップＳ６４の処理と同様であるので、その説明は省略する。
【０１５１】
また、データセンタ５１から個人識別IDおよび薬歴データが送信されると、情報端末装置５２においてステップＳ９４乃至ステップＳ９６の処理が行われ、閲覧処理は終了するが、これらの処理は図８のステップＳ５３乃至ステップＳ５５の処理と同様であるので、その説明は省略する。
【０１５２】
さらに、ステップＳ９４乃至ステップＳ９６の処理が行われて、個人識別ID、新たな薬歴データ、および更新要求がデータセンタ５１に送信されると、データセンタ５１では、ステップＳ１０５およびステップＳ１０６の処理が行われて提供処理は終了する。なお、これらのステップＳ１０５およびステップＳ１０６の処理は、図８のステップＳ６５およびステップＳ６６の処理と同様であるので、その説明は省略する。
【０１５３】
このようにして、情報端末装置５２は、取得した処方箋データから処方箋部分情報を抽出する。このように処方箋データから処方箋部分情報を抽出するようにすることで、ユーザは処方箋部分情報を薬剤師に伝える必要がなくなり、さらに利便性を向上させることができるだけでなく、セキュリティも向上させることができる。
【０１５４】
〈第３の実施の形態〉
〈薬歴データの閲覧について〉
また、以上においては認証補助情報として処方箋データの一部の情報が用いられる場合を例として説明したが、処方箋データには含まれていないが、ユーザおよび薬剤師がともに知っており、更新される薬歴データに含まれる情報、例えば薬局に関する情報を認証補助情報として用いてもよい。以下では、認証補助情報として薬局に関する情報が用いられる例について説明する。
【０１５５】
そのような場合、情報端末装置５２が設けられた薬局は、データセンタ５１に予め登録されている。すなわち、データセンタ５１の記録部８１には、薬局を特定する薬局IDと、その薬局名（名称）を示す薬局名情報、および薬局の所在地域を示す地域情報とが対応付けられて記録されている。ここで、薬局の所在地域とは、例えば薬局がある都道府県や市などの地域とされる。
【０１５６】
なお、ここではデータセンタ５１において、薬局IDに対応付けて薬局名情報および地域情報を記録しておく例について説明するが、薬局名情報または地域情報の何れか一方のみが記録されるようにしてもよい。そのような場合、薬局名情報または地域情報の何れか一方のみが利用されることになる。
【０１５７】
このように薬局が予め登録されている場合、ユーザは携帯型端末装置５４を操作して、薬歴データの閲覧を一時的に許可する薬局の薬局名情報または地域情報を薬局情報として入力する。この例では、薬局情報が認証補助情報として利用される。薬局名等の情報は、新たに追加される薬歴データに含まれる情報であるから、薬局情報は、これから更新される薬歴データに含まれる情報であるといえる。
【０１５８】
また、例えば薬局情報の入力は、ユーザにより直接入力されるようにしてもよいし、表示された情報のなかからユーザが選択するようにしてもよい。また、薬局情報として、薬局名情報および地域情報の両方が入力されるようにしてもよい。
【０１５９】
ユーザにより薬局情報が入力されると、携帯型端末装置５４は図１０の矢印A31に示すように、個人識別IDおよび薬局情報とともにワンタイムパスワードの発行要求をデータセンタ５１に送信する。
【０１６０】
また、データセンタ５１は発行要求に応じてワンタイムパスワードを生成し、個人識別IDに対応付けてワンタイムパスワードおよび薬局情報を記録するとともに、矢印A32に示すようにワンタイムパスワードを携帯型端末装置５４に送信する。
【０１６１】
携帯型端末装置５４がデータセンタ５１からワンタイムパスワードを受信して表示すると、ユーザは矢印A33に示すように、薬剤師に対して口頭でワンタイムパスワードを知らせる。この場合、ユーザは薬局情報を薬剤師に伝える必要はない。
【０１６２】
薬剤師は情報端末装置５２を操作し、情報端末装置５２は矢印A34に示すようにユーザから通知されたワンタイムパスワードと、予め情報端末装置５２に記録されている薬局IDとをデータセンタ５１に送信し、薬歴データの送信を要求する。
【０１６３】
これに応じて、データセンタ５１は、情報端末装置５２から受信したワンタイムパスワードおよび薬局IDと、個人識別IDに対応付けて記録しているワンタイムパスワードおよび薬局情報とに基づいて認証を行う。
【０１６４】
例えばワンタイムパスワードが一致し、かつデータセンタ５１に予め薬局IDと対応付けられて記録されている薬局名情報または地域情報と、個人識別IDおよびワンタイムパスワードに対応付けて記録している薬局情報とが一致する場合に正しく認証されたとされる。
【０１６５】
正しく認証が行われると、データセンタ５１は矢印A35に示すように、個人識別IDに対応付けられている薬歴データを情報端末装置５２に送信する。これにより、情報端末装置５２ではユーザの薬歴データを一時的に閲覧することが可能となる。
【０１６６】
薬剤師は、薬歴データを参照するとともに新たな薬歴データを作成する。最後に、情報端末装置５２は、矢印A36に示すように新たな薬歴データをデータセンタ５１に送信するとともに、その新たな薬歴データの更新（登録）を要求する。
【０１６７】
データセンタ５１は、情報端末装置５２の要求に応じて、情報端末装置５２から受信した新たな薬歴データを個人識別IDに対応付けて記録することで、薬歴データを更新する。
【０１６８】
〈ワンタイムパスワード発行要求処理およびワンタイムパスワード発行処理の説明〉
続いて、図１０を参照して説明した処理について、より詳細に説明する。
【０１６９】
まず、図１１のフローチャートを参照して、携帯型端末装置５４によるワンタイムパスワード発行要求処理、およびデータセンタ５１によるワンタイムパスワード発行処理について説明する。
【０１７０】
ステップＳ１３１において、携帯型端末装置５４の通信部１６１は、発行要求とともに個人識別IDおよび薬局情報をデータセンタ５１に送信する。
【０１７１】
すなわち、携帯型端末装置５４の発行要求部１７１は、ユーザの操作に応じて入力部１６２から供給された信号に基づいて薬局情報を生成するとともに、ワンタイムパスワードの発行要求も生成する。さらに、発行要求部１７１は、記録部１６４からユーザの個人識別IDを読み出す。
【０１７２】
そして、発行要求部１７１は、ワンタイムパスワードの発行要求、個人識別ID、および薬局情報を通信部１６１に供給し、データセンタ５１への送信を制御する。通信部１６１は、発行要求部１７１から供給された発行要求、個人識別ID、および薬局情報を、通信網５５を介してデータセンタ５１に送信する。
【０１７３】
すると、ステップＳ１４１において、データセンタ５１の通信部８２は、携帯型端末装置５４から送信されてきた発行要求、個人識別ID、および薬局情報を受信して制御部８３に供給する。
【０１７４】
ステップＳ１４２において、制御部８３の生成部９２は、通信部８２から供給された発行要求に応じてワンタイムパスワードを生成する。
【０１７５】
ステップＳ１４３において、記録部８１は個人識別IDに対応付けて、ワンタイムパスワードおよび薬局情報を記録する。
【０１７６】
すなわち、情報管理部９１は、通信部８２から供給された個人識別IDおよび薬局情報と、生成部９２により生成されたワンタイムパスワードとを記録部８１に供給し、それらの情報の記録を制御する。記録部８１は情報管理部９１の制御に従って、個人識別IDと、ワンタイムパスワードおよび薬局情報とを対応付けて記録する。
【０１７７】
また、情報管理部９１は、生成されたワンタイムパスワードを通信部８２に供給し、携帯型端末装置５４への送信を指示する。
【０１７８】
ステップＳ１４４において、通信部８２は、情報管理部９１から供給されたワンタイムパスワードを、通信網５５を介して携帯型端末装置５４に送信し、ワンタイムパスワード発行処理は終了する。
【０１７９】
また、ワンタイムパスワードが携帯型端末装置５４に送信されると、ステップＳ１３２およびステップＳ１３３の処理が行われてワンタイムパスワード発行要求処理は終了するが、これらの処理は図７のステップＳ１２およびステップＳ１３の処理と同様であるので、その説明は省略する。
【０１８０】
このようにして携帯型端末装置５４にワンタイムパスワードが表示されると、ユーザは電話等を利用して、口頭でワンタイムパスワードを薬剤師に通知する。その際、ユーザは、個人識別IDや薬局情報を薬剤師に伝える必要はない。
【０１８１】
以上のようにして携帯型端末装置５４は、発行要求とともに個人識別IDと薬局情報をデータセンタ５１に送信する。また、データセンタ５１は、発行要求に応じてワンタイムパスワードを発行するとともに、ワンタイムパスワードおよび薬局情報を個人識別IDに対応付けて記録する。
【０１８２】
このように、ワンタイムパスワードとともに薬局情報を記録しておくことで、ワンタイムパスワードだけでなく薬局情報も認証に利用することができる。これにより、セキュリティを確保しつつワンタイムパスワードを短くすることができ、利便性を向上させることができる。特に、薬局情報として薬局名情報や地域情報を指定することで、閲覧を許可する薬局の地域の範囲や、薬局グループなどを限定することができ、さらに利便性を向上させることができる。
【０１８３】
〈閲覧処理および提供処理の説明〉
続いて図１２のフローチャートを参照して、情報端末装置５２による閲覧処理、およびデータセンタ５１による提供処理について説明する。なお、この例では、情報端末装置５２は、何らかの方法により処方箋データを予め取得しているものとする。
【０１８４】
ステップＳ１７１において、情報端末装置５２の通信部１２１は、閲覧要求とともにワンタイムパスワードおよび薬局IDを、通信網５５を介してデータセンタ５１に送信する。
【０１８５】
すなわち、まず薬剤師は、入力部１２２に対して薬歴データの閲覧のための操作を行うとともに、入力部１２２を操作してワンタイムパスワードを入力する。すると、閲覧制御部１３１は、薬剤師の操作に応じて、薬歴データの閲覧を要求する閲覧要求を生成するとともに、ワンタイムパスワードを取得する。
【０１８６】
また、閲覧制御部１３１は記録部１２５から薬局IDを読み出す。この薬局IDは、情報端末装置５２が設けられている薬局を示す情報である。
【０１８７】
閲覧制御部１３１は、このようにして得られた閲覧要求、ワンタイムパスワード、および薬局IDを通信部１２１に供給し、それらの送信を制御する。通信部１２１は、閲覧制御部１３１から供給された閲覧要求、ワンタイムパスワード、および薬局IDをデータセンタ５１に送信する。
【０１８８】
すると、ステップＳ１８１において、データセンタ５１の通信部８２は、情報端末装置５２から送信されてきた閲覧要求、ワンタイムパスワード、および薬局IDを受信して制御部８３に供給する。
【０１８９】
ステップＳ１８２において、制御部８３の認証部９３は、通信部８２から供給された閲覧要求に応じて、通信部８２から供給されたワンタイムパスワードおよび薬局IDに基づく認証を行う。
【０１９０】
例えば認証部９３は、記録部８１に記録されている薬局IDのうち、通信部８２から供給された薬局IDと同じ薬局IDに対応付けられている薬局名情報および地域情報を記録部８１から読み出す。次に、認証部９３は、通信部８２から供給されたワンタイムパスワード、および記録部８１から読み出した薬局名情報または地域情報が、記録部８１に個人識別IDに対応付けられて記録されているワンタイムパスワード、および薬局情報により示される薬局名情報または地域情報と一致するか否かを判定する。
【０１９１】
そして、認証部９３は、一致すると判定された場合、閲覧要求を送信してきた第三者（薬剤師）はユーザの薬歴データを一時的に閲覧する権限を有しているとする。
【０１９２】
例えば薬局情報として薬局名情報が指定された場合、同じグループに属する薬局のいくつかの店舗にワンタイムパスワードを伝えれば、それらの各店舗で薬歴データの閲覧が可能となる。つまり、ユーザは薬局情報として薬局名情報を指定することで、薬歴データの閲覧を許可する薬局グループを限定することができる。
【０１９３】
同様に、薬局情報として地域情報が指定された場合には、その地域に存在するいくつかの薬局にワンタイムパスワードを伝えれば、それらの各薬局で薬歴データの閲覧が可能となる。つまり、ユーザは薬局情報として地域情報を指定することで、薬歴データの閲覧を許可する薬局のおかれた地域を限定することができる。
【０１９４】
さらに、薬局情報として薬局名情報が指定される場合、薬局名情報に薬局の名称（薬局名）と薬局の店舗名も含まれるようにしてもよい。この場合、ユーザは薬局名情報として薬局グループの名称と店舗名を指定することで、その薬局グループに属す薬局の各店舗のなかから薬歴データの閲覧を許可する店舗を限定することができる。
【０１９５】
ステップＳ１８２で正しく認証が行われると、その後、ステップＳ１８３およびステップＳ１８４の処理が行われて、情報端末装置５２に個人識別IDおよび薬歴データが送信される。なお、これらのステップＳ１８３およびステップＳ１８４の処理は、図８のステップＳ６３およびステップＳ６４の処理と同様であるので、その説明は省略する。
【０１９６】
また、データセンタ５１から個人識別IDおよび薬歴データが送信されると、情報端末装置５２においてステップＳ１７２乃至ステップＳ１７４の処理が行われ、閲覧処理は終了するが、これらの処理は図８のステップＳ５３乃至ステップＳ５５の処理と同様であるので、その説明は省略する。
【０１９７】
さらに、ステップＳ１７２乃至ステップＳ１７４の処理が行われて、個人識別ID、新たな薬歴データ、および更新要求がデータセンタ５１に送信されると、データセンタ５１では、ステップＳ１８５およびステップＳ１８６の処理が行われて提供処理は終了する。なお、これらのステップＳ１８５およびステップＳ１８６の処理は、図８のステップＳ６５およびステップＳ６６の処理と同様であるので、その説明は省略する。なお、ここでは、薬歴データの閲覧後、薬歴データが更新される場合について説明したが、閲覧のみを行う場合は、薬歴データが閲覧された時点、つまり薬歴データが表示された時点で、閲覧処理を終了するようにしてもよい。そのような場合には、事前に情報端末装置５２が処方箋データを取得しておく必要はなく、また、閲覧処理におけるステップＳ１７４と、提供処理におけるステップＳ１８５およびステップＳ１８６の処理とは行われないことになる。
【０１９８】
以上のようにしてデータセンタ５１は、ワンタイムパスワードおよび薬局情報を用いて認証を行い、薬歴データの閲覧を許可する。このように薬局情報を認証に用いることで、セキュリティを確保しつつ利便性を向上させることができる。特に、薬局情報として薬局名情報や地域情報を指定することで、閲覧を許可する薬局の地域の範囲や、薬局グループなどを限定することができ、さらに利便性を向上させることができる。
【０１９９】
なお、以上においては、データセンタ５１に記録されている薬歴データの全範囲が薬剤師に閲覧可能とされる例について説明したが、薬歴データのうちのユーザにより指定された範囲の部分だけが閲覧可能とされるようにしてもよい。
【０２００】
そのような場合、ユーザは、ワンタイムパスワードの発行要求を行う時点で閲覧可能とする範囲を指定する。閲覧可能とする範囲の抽出は、処方箋発行日、内服などの種別、調剤薬局名など、保存された薬歴データから抽出が可能なものであれば、どのような条件であってもよい。携帯型端末装置５４の発行要求部１７１は、ユーザにより指定された閲覧可能とする範囲を示す開示範囲情報を生成し、通信部１６１は発行要求や個人識別ID、処方箋部分情報（または薬局情報）とともに開示範囲情報をデータセンタ５１に送信する。
【０２０１】
データセンタ５１は、このようにして携帯型端末装置５４から受信した開示範囲情報を個人識別IDに対応付けて記録部８１に記録しておき、実際に情報端末装置５２に薬歴データを送信する場合に、開示範囲情報により示される部分のみを送信する。つまり、情報管理部９１は、薬歴データの開示範囲情報により示される部分のみ記録部８１から読み出して、通信部８２は読み出された部分のデータを情報端末装置５２に送信する。
【０２０２】
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のコンピュータなどが含まれる。
【０２０３】
図１３は、上述した一連の処理をプログラムにより実行するコンピュータのハードウェアの構成例を示すブロック図である。
【０２０４】
コンピュータにおいて、ＣＰＵ（Central Processing Unit）５０１，ＲＯＭ（Read Only Memory）５０２，ＲＡＭ（Random Access Memory）５０３は、バス５０４により相互に接続されている。
【０２０５】
バス５０４には、さらに、入出力インターフェース５０５が接続されている。入出力インターフェース５０５には、入力部５０６、出力部５０７、記録部５０８、通信部５０９、及びドライブ５１０が接続されている。
【０２０６】
入力部５０６は、キーボード、マウス、マイクロホン、撮像素子などよりなる。出力部５０７は、ディスプレイ、スピーカなどよりなる。記録部５０８は、ハードディスクや不揮発性のメモリなどよりなる。通信部５０９は、ネットワークインターフェースなどよりなる。ドライブ５１０は、磁気ディスク、光ディスク、光磁気ディスク、又は半導体メモリなどのリムーバブルメディア５１１を駆動する。
【０２０７】
以上のように構成されるコンピュータでは、ＣＰＵ５０１が、例えば、記録部５０８に記録されているプログラムを、入出力インターフェース５０５及びバス５０４を介して、ＲＡＭ５０３にロードして実行することにより、上述した一連の処理が行われる。
【０２０８】
コンピュータ（ＣＰＵ５０１）が実行するプログラムは、例えば、パッケージメディア等としてのリムーバブルメディア５１１に記録して提供することができる。また、プログラムは、ローカルエリアネットワーク、インターネット、デジタル衛星放送といった、有線または無線の伝送媒体を介して提供することができる。
【０２０９】
コンピュータでは、プログラムは、リムーバブルメディア５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ＲＯＭ５０２や記録部５０８に、あらかじめインストールしておくことができる。
【０２１０】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１１】
また、本技術の実施の形態は、上述した実施の形態に限定されるものではなく、本技術の要旨を逸脱しない範囲において種々の変更が可能である。
【０２１２】
例えば、本技術は、１つの機能をネットワークを介して複数の装置で分担、共同して処理するクラウドコンピューティングの構成をとることができる。
【０２１３】
また、上述のフローチャートで説明した各ステップは、１つの装置で実行する他、複数の装置で分担して実行することができる。
【０２１４】
さらに、１つのステップに複数の処理が含まれる場合には、その１つのステップに含まれる複数の処理は、１つの装置で実行する他、複数の装置で分担して実行することができる。
【０２１５】
また、本明細書中に記載された効果はあくまで例示であって限定されるものではなく、他の効果があってもよい。
【０２１６】
さらに、本技術は、以下の構成とすることも可能である。
【０２１７】
（１）
通信網を介して、ユーザの薬歴情報を閲覧可能な第一の端末装置及び第二の端末装置と接続される薬歴情報管理装置において、
情報を送信及び受信する通信部と、
個人識別情報に対応付けて、少なくとも前記薬歴情報と認証情報と認証補助情報とを記録可能な記録部と、
前記通信部と前記記録部を制御する制御部と
を具備し、
前記制御部は、
前記通信部により、第一の個人識別情報と、前記認証補助情報と、前記認証情報の発行要求とを前記第一の端末装置から受信した場合に、
前記認証情報を生成する処理と、
前記認証情報と前記認証補助情報とを前記第一の個人識別情報に対応付けて前記記録部に記録する処理と、
前記第一の端末装置に対して、前記認証情報を前記通信部により送信する処理と
を実行し、
前記通信部により、前記認証情報と、前記認証補助情報と、第二の個人識別情報に対応付けられている前記薬歴情報の閲覧要求とを前記第二の端末装置から受信した場合に、
前記第二の個人識別情報に対応付けられて前記記録部に記録されている前記認証情報及び前記認証補助情報と、前記第二の端末装置から受信した前記認証情報及び前記認証補助情報とに基づき認証を行い、前記第二の端末装置による前記薬歴情報の閲覧の可否を決定する処理を実行する
薬歴情報管理装置。
（２）
前記認証情報は、前記認証情報が発行されてから所定の時間、又は前記認証情報を用いた前記薬歴情報へのアクセスを行ってから所定の時間有効である
（１）に記載の薬歴情報管理装置。
（３）
前記認証補助情報は、前記第二の端末装置による前記閲覧要求が行われた場所に関する情報として、前記第二の端末装置を操作して閲覧の要求を行った場所に関する情報を含む
（１）または（２）に記載の薬歴情報管理装置。
（４）
前記制御部は、更に前記通信部により、前記第二の個人識別情報と、更新薬歴情報と、前記第二の個人識別情報に対応付けられている前記薬歴情報の更新要求とを前記第二の端末装置から受信した場合に、前記薬歴情報を更新する処理を実行する
（１）乃至（３）の何れか一項に記載の薬歴情報管理装置。
（５）
通信網を介して、ユーザの薬歴情報を閲覧可能な第一の端末装置及び第二の端末装置と接続される薬歴情報管理装置であって、
情報を送信及び受信する通信部と、
個人識別情報に対応付けて、少なくとも前記薬歴情報と認証情報と認証補助情報とを記録可能な記録部と、
前記通信部と前記記録部を制御する制御部と
を具備する薬歴情報管理装置の薬歴情報管理方法において、
前記制御部が、
前記通信部により、第一の個人識別情報と、前記認証補助情報と、前記認証情報の発行要求とを前記第一の端末装置から受信した場合に、
前記認証情報を生成する処理と、
前記認証情報と前記認証補助情報とを前記第一の個人識別情報に対応付けて前記記録部に記録する処理と、
前記第一の端末装置に対して、前記認証情報を前記通信部により送信する処理と
を実行し、
前記通信部により、前記認証情報と、前記認証補助情報と、第二の個人識別情報に対応付けられている前記薬歴情報の閲覧要求とを前記第二の端末装置から受信した場合に、
前記第二の個人識別情報に対応付けられて前記記録部に記録されている前記認証情報及び前記認証補助情報と、前記第二の端末装置から受信した前記認証情報及び前記認証補助情報とに基づき認証を行い、前記第二の端末装置による前記薬歴情報の閲覧の可否を決定する処理を実行する
ステップを含む薬歴情報管理方法。
（６）
通信網を介して、ユーザの薬歴情報を閲覧可能な第一の端末装置及び第二の端末装置と接続される薬歴情報管理装置であって、
情報を送信及び受信する通信部と、
個人識別情報に対応付けて、少なくとも前記薬歴情報と認証情報と認証補助情報とを記録可能な記録部と
を具備する薬歴情報管理装置を制御するコンピュータに、
前記通信部により、第一の個人識別情報と、前記認証補助情報と、前記認証情報の発行要求とを前記第一の端末装置から受信した場合に、
前記認証情報を生成する処理と、
前記認証情報と前記認証補助情報とを前記第一の個人識別情報に対応付けて前記記録部に記録する処理と、
前記第一の端末装置に対して、前記認証情報を前記通信部により送信する処理と
を実行し、
前記通信部により、前記認証情報と、前記認証補助情報と、第二の個人識別情報に対応付けられている前記薬歴情報の閲覧要求とを前記第二の端末装置から受信した場合に、
前記第二の個人識別情報に対応付けられて前記記録部に記録されている前記認証情報及び前記認証補助情報と、前記第二の端末装置から受信した前記認証情報及び前記認証補助情報とに基づき認証を行い、前記第二の端末装置による前記薬歴情報の閲覧の可否を決定する処理を実行する
ステップを含む処理を実行させるプログラム。
【符号の説明】
【０２１８】
４１  情報処理システム，  ５１  データセンタ，  ５２  情報端末装置，  ５４  携帯型端末装置，  ８２  通信部，  ９１  情報管理部，  ９２  生成部，  ９３  認証部，  １２１  通信部，  １２３  表示部，  １３１  閲覧制御部，  １３２  表示制御部，  １６１  通信部，  １７１  発行要求部，  １７２  表示制御部
【図１】
2015198873.tif 000003
【図２】
2015198873.tif 000004
【図３】
2015198873.tif 000005
【図４】
2015198873.tif 000006
【図５】
2015198873.tif 000007
【図６】
2015198873.tif 000008
【図７】
2015198873.tif 000009
【図８】
2015198873.tif 000010
【図９】
2015198873.tif 000011
【図１０】
2015198873.tif 000012
【図１１】
2015198873.tif 000013
【図１２】
2015198873.tif 000014
【図１３】
2015198873.tif 000015
【国際調査報告】
2015198873.tif 000016
2015198873.tif 000017
2015198873.tif 000018
2015198873.tif 000019